(57)【要約】【課題】後端部に設けられたウェイト部材に起因する音を抑制しうるゴルフクラブの提供。【解決手段】ゴルフクラブ２は、ヘッド４と、シャフト６と、グリップ８と、ウエイト部材２０とを備えている。ウエイト部材２０は、グリップ８の内部に配置されている。グリップ８は、管状部１２と、この管状部１２の後端に配置されたエンド部１４とを有している。ウエイト部材２０は、挿入部２２と外方延在部２４とを有している。挿入部２２は、シャフト６の後端側からシャフト６の内部に挿入されている。外方延在部２４は、シャフト６の後端面１６の内縁Ｎ１よりも半径方向外側に延在している。外方延在部２４は、シャフト６の後端面１６とエンド部１４とにより、直接的又は間接的に挟まれている。外方延在部２４は、シャフト６を、半径方向外側に拡張するように弾性変形させている。【選択図】図２
2010017200.tif 000002
【特許請求の範囲】
【請求項１】
管状のシャフトと、このシャフトの先端部に設けられたヘッドと、このシャフトの後端部に設けられたグリップと、このグリップの内側に配置されたウェイト部材とを備え、
上記グリップが、管状部と、この管状部の後端に配置されたエンド部とを有し、
上記管状部に上記シャフトが挿入されており、
上記ウェイト部材が、上記シャフトの内部に挿入されている挿入部と、上記シャフトの後端面の内縁よりも半径方向外側に延在する外方延在部とを有し、
上記外方延在部が、上記シャフトの後端面と上記エンド部とにより、直接的又は間接的に挟まれており、
上記外方延在部が、上記グリップを、半径方向外側に拡張するように弾性変形させているゴルフクラブ。
【請求項２】
上記外方延在部が、上記シャフトの後端面の外縁よりも半径方向外側に延びている請求項１に記載のゴルフクラブ。
【請求項３】
シャフトの外面とグリップの内面とを接着する両面テープが設けられており、
上記両面テープが、上記シャフトの外周面の第一位置から、上記ウェイト部材の上面を経由して、上記シャフトの外周面の第二位置にまで連続的に設けられている請求項１又は２に記載のゴルフクラブ。
【請求項４】
上記グリップの上記エンド部には貫通孔が設けられており、
上記ウェイト部材が、上記貫通孔を軸方向に延長した範囲に存在している請求項１から３のいずれかに記載のゴルフクラブ。
【発明の詳細な説明】
【技術分野】
【０００１】
本発明は、ゴルフクラブに関する。
【背景技術】
【０００２】
ゴルフクラブの性能を向上させうる手段として、反発係数の向上が挙げられる。しかし、近年、ゴルフルールにより、反発係数に対する規制が導入された。特に、この規制の導入以降は、反発係数以外の手段によるヘッド性能の向上が求められている。
【０００３】
ゴルフクラブを長くすること（長尺化）は、ヘッドスピードの増大に寄与しうる。ゴルフクラブを軽くすること（軽量化）は、ヘッドスピードの増大に寄与しうる。ゴルフクラブの軽量化には、シャフトの軽量化が有効である。
【０００４】
また、ヘッドの慣性モーメントは、打球の方向性に影響する。大きな慣性モーメントは、方向安定性に寄与しうる。ヘッド体積が制約されている場合、ヘッド重量を大きくすることにより、大きな慣性モーメントが得られる。
【０００５】
一方、クラブを長くすることは、ゴルフクラブのバランス（スイングウェイト）を重くさせる。更に、ヘッド重量の増大は、スイングウェイトを重くする。スイングウェイトが過度に重いゴルフクラブは、振りにくい。
【０００６】
シャフトが軽量化されるに従い、ゴルフクラブの重心位置はヘッド寄りとなる傾向がある。シャフトの軽量化は、クラブ重量の削減に対する寄与は比較的大きいが、クラブバランスの低下に対する寄与は比較的少ない。
【０００７】
スイングウェイト（スイングバランス）を軽くするには、クラブを短くすることが有効である。しかし、短いクラブは、ヘッドスピードを低下させ、飛距離性能を低下させる。
【０００８】
ヘッド重量、シャフト重量及びクラブ長さを変えることなく、スイングウェイトを小さくしうる構成として、ゴルフクラブの後端部にウエイト部材を設ける手段が知られている。特開２００５−２４５９４７公報には、グリップエンドにウエイト部材が装着されたゴルフクラブが記載されている。
【特許文献１】特開２００５−２４５９４７公報
【発明の開示】
【発明が解決しようとする課題】
【０００９】
グリップエンドにウェイト部材が設けられた場合、打撃時の衝撃により、不快な音（音鳴り）が発生しやすいことが判明した。この音は、ウェイト部材の存在により生じていることが判明した。打球時の衝撃がシャフトを振動させ、この振動がウェイト部材に伝達されることにより、音が発生していると考えられる。また、この音と共に、ウェイト部材の存在に起因して、振動が発生していることが判明した。これらの音や振動は、そのゴルフクラブを使用するゴルファーにとって、不快である。これらの音や振動は、ゴルファーのスイングに悪影響を与える可能性がある。
【００１０】
本発明の目的は、後端部にウェイト部材を設けたゴルフクラブにおいて、ウェイト部材に起因して発生する音や振動を抑制することにある。
【課題を解決するための手段】
【００１１】
本発明のゴルフクラブは、管状のシャフトと、このシャフトの先端部に設けられたヘッドと、このシャフトの後端部に設けられたグリップと、このグリップの内側に配置されたウェイト部材とを備えている。上記グリップは、管状部と、この管状部の後端に配置されたエンド部とを有している。上記管状部に上記シャフトが挿入されている。上記ウェイト部材は、上記シャフトの内部に挿入されている挿入部と、上記シャフトの後端面の内縁よりも半径方向外側に延在する外方延在部とを有している。上記外方延在部が、上記シャフトの後端面と上記エンド部とにより、直接的又は間接的に挟まれている。上記外方延在部は、上記グリップを、半径方向外側に拡張するように弾性変形させている。
【００１２】
好ましくは、上記外方延在部は、、上記シャフトの後端面の外縁よりも半径方向外側に延びている。
【００１３】
好ましくは、シャフトの外面とグリップの内面とを接着する両面テープが設けられている。好ましくは、上記両面テープは、上記シャフトの外周面の第一位置から、上記ウェイト部材の上面を経由して、上記シャフトの外周面の第二位置にまで連続的に設けられている。
【００１４】
好ましくは、上記グリップの上記エンド部には貫通孔が設けられている。好ましくは、上記ウェイト部材は、上記貫通孔を軸方向に延長した範囲に存在している。
【発明の効果】
【００１５】
グリップの弾性的な収縮力により、ウェイト部材に起因する音の発生が抑制されうる。
【発明を実施するための最良の形態】
【００１６】
以下、適宜図面が参照されつつ、好ましい実施形態に基づいて本発明が詳細に説明される。
【００１７】
なお本願においては、半径方向とはシャフトの半径方向を意味し、軸方向とはシャフトの軸方向を意味し、周方向とはシャフトの周方向を意味する。
【００１８】
図１は、本発明の一実施形態に係るゴルフクラブ２の全体図である。ゴルフクラブ２は、ヘッド４、シャフト６、グリップ８及びフェラル１０を有する。ヘッド４は、シャフト６の先端部に配置されている。グリップ８は、シャフト６の後端部に配置されている。
【００１９】
ヘッド４は、ウッド型ゴルフクラブヘッドである。図示しないが、ヘッド４は中空構造を有している。なおヘッド４の種類は限定されない。ヘッド４は、例えば、ハイブリッド（ユーティリティ）型ゴルフクラブヘッドであってもよいし、アイアン型ゴルフクラブヘッドであってもよいし、パターヘッドであってもよい。
【００２０】
図２は、ゴルフクラブ２のグリップエンド付近の断面図である。図２は、シャフト軸線に沿った断面図である。
【００２１】
図２が示すように、シャフト６は、管状である。シャフト６の内部は、中空である。シャフト６は、先端（ヘッド側）にいくほどその外径が細くなるテーパー部分を有している。図示しないが、シャフト６の先端部は、ヘッド４のホーゼル孔に挿入されている。シャフト６とヘッド４とは、接着剤により接着されている。
【００２２】
典型的には、シャフト６は、カーボンシャフト又はスチールシャフトである。カーボンシャフトは、ＣＦＲＰ（炭素繊維強化プラスチック）よりなる。スチールシャフトは、鋼よりなる。
【００２３】
グリップ８は、弾性体からなる。図２が示すように、グリップ８は、管状部１２とエンド部１４とを有する。管状部１２は、円筒状である。管状部１２は、シャフト６の外周面１５を覆っている。エンド部１４は、円盤状である。エンド部１４は、シャフト６の後端面１６を覆っている。更にエンド部１４は、シャフト６の後端の開口を塞くように設けられている。エンド部１４には、貫通孔１７が設けられている。貫通孔１７は、エンド部１４の中心位置に設けられている。この貫通孔１７は、空気の抜け穴として機能しうる。
【００２４】
図２において図示されていないが、グリップ８とシャフト６とは、両面テープによって接着されている。図示されていないが、管状部１２の内周面１８とシャフト６の外周面１５との間に両面テープが存在している。
【００２５】
図２が示すように、ゴルフクラブ２は、ウエイト部材２０を有する。ウエイト部材２０は、グリップ８の内側に配置されている。ゴルフクラブ２において、ウエイト部材２０は、外部から視認されない。
【００２６】
図３は、ウエイト部材２０の平面図であり、図４は、ウエイト部材２０の側面図である。ウエイト部材２０は、挿入部２２と外方延在部２４とを有する。なお図３は、図４における下方からウエイト部材２０を見た平面図である。
【００２７】
図２が示すように、ウエイト部材２０は、シャフト６に接着されている。ウエイト部材２０とシャフト６との間には、接着剤ｖ１が存在する。図２において、接着剤ｖ１の断面は、散点模様（ドット）で示されている。なお、接着剤ｖ１に代えて、両面テープが用いられてもよい。また、ウエイト部材２０とシャフト６とは接着されていなくてもよい。たとえば、ウエイト部材２０の挿入部２２がシャフト６に圧入されていてもよい。シャフト６の内面２５と挿入部２２との間に、ゴム等の弾性部材が設けられてもよい。シャフト６の内面２５と挿入部２２とがネジ結合していてもよい。
【００２８】
ウエイト部材２０において、挿入部２２と外方延在部２４とは同軸である。挿入部２２は、円筒状である。外方延在部２４は、円筒状である。外方延在部２４は、円盤状である。
【００２９】
ゴルフクラブ２において、ウエイト部材２０とシャフト６とは実質的に同軸で配置されている。ウエイト部材２０には、その中心軸線に沿って、貫通孔２６が設けられている。貫通孔２６は、ウエイト部材２０を貫通している。貫通孔２６は、挿入部２２を貫通し、且つ、外方延在部２４を貫通している。グリップ８の貫通孔１７と、ウエイト部材２０の貫通孔２６とは、繋がっている。貫通孔２６は、空気の抜け穴として機能しうる。なお貫通孔２６は、無くても良い。
【００３０】
挿入部２２は、シャフト６の内部（中空部）に挿入されている部分である。挿入部２２は、シャフト６の後端側から、シャフト６の内部に挿入されている。一方、外方延在部２４は、シャフト６の外部に位置している。
【００３１】
図２が示すように、外方延在部２４は、後端面１６の内縁Ｎ１よりも半径方向外側に延在している。外方延在部２４の外径Ａは、シャフト６の後端面１６の内径Ｄよりも大きい。なお、外方延在部２４は、円盤状でなくてもよい。外方延在部２４は、周方向の少なくとも一部において、後端面１６の内縁Ｎ１よりも半径方向外側に延在していればよい。好ましくは、本実施形態の如く、外方延在部２４は、周方向の全体において、後端面１６の内縁Ｎ１よりも半径方向外側に延在している。
【００３２】
外方延在部２４における半径方向外側の面２７は、管状部１２の内面１８に当接している。本実施形態において、この面２７と内面１８との当接は、直接的である。この面２７と内面１８との当接は、間接的であってもよい。面２７と内面１８との間に、両面テープや接着剤などの部材が介在していてもよい。
【００３３】
外方延在部２４の外径Ａは、シャフト６の後端面１６の外径Ｂと略同一である。外方延在部２４の外径Ａが、後端面１６の外径Ｂよりも小さくてもよい。外方延在部２４の下面３０は、シャフト６の後端面１６に当接している。外方延在部２４が後端面１６に当接しつつ、挿入部２２はシャフト６の中空部に挿入されている。なお、下面３０と後端面１６との間に両面テープや接着剤等が介在していてもよい。
【００３４】
外方延在部２４は、シャフト６の後端面１６とエンド部１４とにより挟まれている。図２の実施形態では、外方延在部２４は、シャフト６の後端面１６とエンド部１４とにより直接的に挟まれている。外方延在部２４は、シャフト６の後端面１６とエンド部１４とにより間接的に挟まれていてもよい。即ち、後端面１６と外方延在部２４との間に他の部材Ｋ１が介在していてもよいし、エンド部１４と外方延在部２４との間に他の部材Ｋ２が介在していてもよい。上記部材Ｋ１及び部材Ｋ２として、両面テープ、接着剤等が例示される。後端面１６とエンド部１４とで挟まれることにより、外方延在部２４の振動が抑制される。後端面１６とエンド部１４とで挟まれることにより、外方延在部２４から発生する音が抑制される。
【００３５】
図５において両矢印Ｃで示されるのは、後端におけるグリップ内径である。このグリップ内径Ｃは、グリップが単独の状態において測定される。この内径Ｃは、外方延在部２４の外径Ａよりも小さい。即ち、Ａ＞Ｃの関係が成立している。この結果、外方延在部２４が、グリップ８を、半径方向外側に拡張するように弾性変形させている。グリップ８は弾性体であり、このような弾性変形が可能である。ゴルフクラブ２において、グリップ８は、常に、半径方向内側に収縮しようとしている。外方延在部２４は、半径方向外側からグリップ８によって締め付けられている。グリップ８が収縮しようとする力によって、ウエイト部材２０の固定が確実とされている。グリップ８が収縮しようとする力によって、ウエイト部材２０に起因する音の発生が抑制される。また、グリップ８が収縮しようとする力によって、ウエイト部材２０の振動が抑制される。
【００３６】
図６は、第二実施形態に係るゴルフクラブ３２の断面図である。ゴルフクラブ３２は、ヘッド４、シャフト６、グリップ８、フェラル１０及びウエイト部材３４を有する。ウエイト部材３４は、外方延在部３６と挿入部３８とを有する。第一実施形態のゴルフクラブ２とゴルフクラブ３２との相違は、外方延在部の外径Ａのみである。ゴルフクラブ３２では、外方延在部３６の外径Ａが、シャフト６の後端面１６の外径Ｂよりも大きい。即ち、ゴルフクラブ３２では、Ａ＞Ｂである。この結果、外方延在部３６が、シャフト６の後端面１６の外縁Ｇ１よりも半径方向外側に延びている。なお、前述の通り、Ａ＞Ｃの関係も成立している。
【００３７】
なお、外方延在部３６は、円盤状でなくてもよい。外方延在部３６は、周方向の少なくとも一部において、後端面１６の外縁Ｇ１よりも半径方向外側に延びていればよい。好ましくは、本実施形態の如く、外方延在部３６は、周方向の全体において、後端面１６の外縁Ｇ１よりも半径方向外側に延びている。
【００３８】
ゴルフクラブ３２では、外方延在部３６が、グリップ８を、半径方向外側に拡張するように弾性変形させている。ゴルフクラブ３２において、グリップ８は、常に、半径方向内側に収縮しようとしている。外方延在部３６は、半径方向外側からグリップ８によって締め付けられている。グリップ８が収縮しようとする力によって、ウエイト部材３４の固定が確実とされている。グリップ８が収縮しようとする力によって、ウエイト部材３４に起因する音の発生が抑制される。Ａ＞Ｂとされた結果、グリップ８の変形量が大きくなるので、グリップ８から外方延在部３６に作用する収縮力も大きくなる。この結果、ウエイト部材３４の固定がより一層確実とされる。
【００３９】
ゴルフクラブ３２では、外方延在部３６の外縁部が、半径方向外側に突出する突出部３７を形成している。この突出部３７が、グリップ８の内面１８に、凹み４０を生じさせる。突出部３７と凹み４０との係合により、ウエイト部材３４の固定がより一層確実となる。
【００４０】
図６が示すように、凹み４０の形成に起因して、空間ｋ１が存在している。この空間ｋ１に接した部分のグリップ８は、振動しやすいと考えられる。このグリップ８の振動により、打球時の衝撃に起因する細かい振動が吸収されうると考えられる。この振動吸収により、ウエイト部材からの音の発生が抑制されると考えられる。
【００４１】
グリップによる締め付け効果を高める観点から、上記外径Ａ（ｍｍ）の、上記内径Ｃ（ｍｍ）に対する比［Ａ／Ｃ］は、１．０２以上が好ましく、１．０３以上がより好ましく、１．０５以上がより好ましい。シャフトをグリップから抜き取った際に、ウェイト部材がグリップ内に残存しにくくする観点から、比［Ａ／Ｃ］は、１．２０以下が好ましく、１．１５以下がより好ましく、１．１０以下がより好ましい。なお、比［Ａ／Ｃ］が大きすぎる場合、握った際の感触が不快となる場合があり、この観点からも、比［Ａ／Ｃ］は、上記範囲とされるのが好ましい。
【００４２】
外径Ａと外径Ｂとが等しい場合、Ａ＞Ｃとされた場合であっても、上記締め付け効果が向上しにくい。この観点から、外径Ａは、外径Ｂよりも大きくされるのが好ましい。上記締め付け効果を高める観点から、比［Ａ／Ｂ］は、１．０１以上が好ましく、１．０２以上がより好ましい。比［Ａ／Ｂ］が過度に大きい場合、。シャフトをグリップから抜き取った際に、ウェイト部材がグリップ内に残存しやすい。この観点から、比［Ａ／Ｂ］は、１．１０以下が好ましく、１．０５以下がより好ましく、１．０３以下がより好ましい。
【００４３】
なお、上記の締め付け効果を更に高める観点から、上記外径Ｂは、上記グリップ内径Ｃ以上であるのが好ましい。即ち、Ｂ≧Ｃが好ましい。
【００４４】
図７は、第三実施形態に係るゴルフクラブ４２の断面図である。ゴルフクラブ４２は、ヘッド４、シャフト６、グリップ８、フェラル１０及びウエイト部材３４を有する。ウエイト部材３４は、外方延在部３６と挿入部３８とを有する。第二実施形態のゴルフクラブ３２とゴルフクラブ４２との相違は、両面テープ４４の有無のみである。なお、図７では、両面テープ４４の厚さが、実際よりも厚く描かれている。
【００４５】
両面テープ４４は、シャフト６の外面とグリップ８の内面とを接着している。両面テープ４４は、シャフト６の外周面１５の第一位置Ｐ１から、ウエイト部材３４の上面４６を経由して、シャフト６の外周面１５の第二位置Ｐ２にまで、連続的に設けられている。両面テープ４４は、上面４６で折り返されつつ第一位置Ｐ１から第二位置Ｐ２にまで至る一枚の両面テープである。第一位置Ｐ１には、両面テープ４４の第一の端が位置する。第二位置Ｐ２には、両面テープ４４の第二の端が位置する。
【００４６】
両面テープ４４は、帯状である。第一位置Ｐ１から上面４６に至るまでにおいて、帯状の両面テープ４４の長手方向は、シャフト６の軸方向に略沿っている。両面テープ４４は、上面４６で折り返されている。上面４６から第二位置Ｐ２に至るまでにおいて、帯状の両面テープ４４の長手方向は、シャフト６の軸方向に略沿っている。両面テープ４４をシャフト軸方向に略沿って貼り付けることにより、後述の交換作業において、ウエイト部材がシャフトから外れにくくなる。この観点から、両面テープ４４の長手方向とシャフト軸方向とのなす角度の絶対値は、０度（ｄｅｇｒｅｅ）以上２０度（ｄｅｇｒｅｅ）以下が好ましい。
【００４７】
ところで、シャフト、グリップ、ウェイト部材等の部材が交換される場合がある。例えば、ゴルフクラブのバランス調整を行う目的で、ウェイト部材が交換される場合がある。また、摩耗してしまったグリップが、新しいグリップに交換される場合がある。更には、シャフトが交換される場合もある。
【００４８】
上記の交換作業においては、先ず、グリップがシャフトから分離される。グリップとシャフトとが分離された際に、ウェイト部材がグリップ内に残ってしまうことが起こりうる。本発明では、グリップの収縮力がウェイト部材に作用しているため、グリップ内へのウェイト部材の残留が発生しやすい。グリップ内に残留したウェイト部材は、取り出しにくい。
【００４９】
両面テープ４４により、ウエイト部材３４が、シャフト６から分離されにくい。両面テープ４４により、グリップ内へのウェイト部材の残留が効果的に抑制される。両面テープ４４により、交換作業の作業性が向上しうる。
【００５０】
第一位置Ｐ１及び第二位置Ｐ２は、限定されない。ウェイト部材のグリップ内への残留を抑制する観点から、好ましくは、第一位置Ｐ１の位相と第二位置Ｐ２の位相との差の絶対値Ｓ１は、１５０度（ｄｅｇｒｅｅ）以上であるのが好ましい。換言すれば、好ましくは、第一位置Ｐ１の周方向位置と第二位置Ｐ２の周方向位置との相違は１５０度（ｄｅｇｒｅｅ）以上であるのが好ましい。この絶対値Ｓ１の上限は、１８０度である。この絶対値Ｓ１が１８０度を超えることは、ありえない。
【００５１】
シャフト６の後端面１６と第一位置Ｐ１との軸方向距離ｄ１（図示せず）は限定されない。ウェイト部材のグリップ内への残留を抑制する観点から、距離ｄ１は、５０ｍｍ以上が好ましく、１００ｍｍ以上がより好ましく、１５０ｍｍ以上がより好ましい。両面テープのグリップからのはみ出しを防止する観点から、距離ｄ１は、２５０ｍｍ以下が好ましい。
【００５２】
シャフト６の後端面１６と第一位置Ｐ２との軸方向距離ｄ２（図示せず）は限定されない。ウェイト部材のグリップ内への残留を抑制する観点から、距離ｄ２は、５０ｍｍ以上が好ましく、１００ｍｍ以上がより好ましく、１５０ｍｍ以上がより好ましい。両面テープのグリップからのはみ出しを防止する観点から、距離ｄ２は、２５０ｍｍ以下が好ましい。
【００５３】
両面テープ４４として、次の（ａ）及び（ｂ）が例示される。
（ａ）樹脂フィルム層と粘着剤層とを含む両面テープ
（ｂ）樹脂フィルム層と不織布層と粘着剤層を含む両面テープ
グリップ内へのウェイト部材の残留を抑制する観点から、不織布層を含む両面テープが好ましい。不織布層は、両面テープの破断強度を高める。よって、好ましい両面テープとして、上記（ｂ）の両面テープが挙げられる。
【００５４】
図８は、第四実施形態に係るゴルフクラブ４８の断面図である。ゴルフクラブ４８は、ヘッド４、シャフト６、グリップ８、フェラル１０及びウエイト部材５０を有する。ウエイト部材５０は、外方延在部５２と挿入部５４とを有する。第二実施形態のゴルフクラブ３２とゴルフクラブ４８との相違は、ウエイト部材の貫通孔の孔径のみである。ウエイト部材５０の貫通孔５６の孔径は、ウエイト部材３４の貫通孔４１の孔径よりも小さい。  
【００５５】
ウエイト部材５０の貫通孔５６の孔径は、グリップ８の貫通孔１７の孔径よりも小さい。また、貫通孔５６及び貫通孔１７は、シャフト６と略同軸で配置されている。
【００５６】
ウエイト部材５０は、貫通孔１７を軸方向に延長した範囲Ｘ１に存在している。図５には、この範囲Ｘ１が波線ハッチングで示されている。本実施形態では、この範囲Ｘ１は、円柱状である。この範囲Ｘ１は、軸方向に対して平行であり且つ貫通孔１７を貫通しうる直線が、通過しうる範囲である。
【００５７】
図８に示すゴルフクラブ４８では、ウエイト部材５０が、上記範囲Ｘ１に存在する。ゴルフクラブ４８では、ウエイト部材５０の上面５８が、上記範囲Ｘ１に存在する。グリップ内に残留したウエイト部材５０の取り出しを容易とする観点から、ウエイト部材５０の上面５８が上記範囲Ｘ１に存在するのが好ましい。
【００５８】
前述したように、部材の交換作業において、ウェイト部材がグリップ内に残ってしまう場合がある。上記範囲Ｘ１にウエイト部材５０が存在することにより、グリップ８内に残留したウエイト部材５０が取り出されやすい。例えば、外側から貫通孔１７に差し込んだ棒によりウエイト部材５０を押し出すことができる。このように、ゴルフクラブ４８では、グリップ内に残留したウエイト部材５０の取り出しが容易とされている。
【００５９】
シャフト後端面の外径Ｂは、通常、１５．００ｍｍ以上１７．００ｍｍ以下の範囲であり、特に１５．２０ｍｍ以上１６．８０ｍｍ以下である場合が多い。このような外径Ｂの場合、外方延在部の外径Ａは、下限値としては、１５．１７ｍｍ以上、更には１５．３２ｍｍ以上が好ましく、上限値としては、１８．６８ｍｍ以下、更には１７．８３ｍｍ以下が好ましい。また、このような外径Ｂの場合、上記グリップ内径Ｃは、１２．６５ｍｍ以上、更には１３．１９ｍｍ以上が好ましく、１８．３１ｍｍ以下、更には１８．１４ｍｍ以下が好ましい。
【００６０】
シャフトとウエイト部材との間に接着剤や両面テープ等の接着媒体が配置された場合、ウェイト部材の固着力を高める観点から有利である。グリップとウエイト部材との間に接着剤や両面テープ等の接着媒体が配置された場合も、ウェイト部材の固着力を高める観点から有利である。これらの接着媒体は、ウェイト部材に起因する音の発生を抑制しうる。一方、前述した締め付け効果によりウェイト部材が固定されやすくなるので、ウェイト部材を固定するための接着媒体を削減することが可能である。例えば、接着剤や両面テープの使用範囲の削減や、接着剤や両面テープの不使用が実現されうる。これらは、生産性向上の観点から好ましい。
【００６１】
ヘッドスピード及び飛距離の観点から、クラブ長さ（ｍｍ）は、１１４３ｍｍ以上が好ましく、１１４９ｍｍ以上がより好ましく、１１５５ｍｍ以上がより好ましい。ナイスショットの確率を高める観点から、クラブ長さは、１２１９ｍｍ以下が好ましく、１２１３ｍｍ以下がより好ましく、１２０６ｍｍ以下がより好ましい。
【００６２】
シャフト強度の観点から、シャフト重量Ｗｓは、３５（ｇ）以上が好ましく、３７（ｇ）以上がより好ましく、３９（ｇ）以上がより好ましい。ウエイト部材の存在下においてクラブ重量の過度な増加を抑制する観点から、シャフト重量Ｗｓは、４８（ｇ）以下が好ましく、４６（ｇ）以下がより好ましい。
【００６３】
過度に大きなスイングウェイトを抑制する観点から、グリップ重量Ｗｇは、３５（ｇ）以上が好ましく、３７（ｇ）以上がより好ましく、３９（ｇ）以上がより好ましい。クラブ重量を軽くして飛距離を増加させる観点から、グリップ重量Ｗｇは、５０（ｇ）以下が好ましく、４８（ｇ）以下がより好ましく、４６（ｇ）以下がより好ましい。
【００６４】
スイングウェイトの調整効果を高める観点から、ウエイト部材の重量Ｗｗは、１（ｇ）以上が好ましく、２（ｇ）以上がより好ましく、３（ｇ）以上がより好ましい。クラブ重量の抑制の観点から、ウエイト部材の重量Ｗｗは、１５（ｇ）以下が好ましく、１３（ｇ）以下がより好ましく、１２（ｇ）以下がより好ましい。
【００６５】
過度に軽いヘッドの場合、慣性モーメントが低下して方向性が悪化するとともに、反発性能が低下し、打球時のフィーリングが悪化しやすい。過度に軽いヘッドを避け、打球時のフィーリングを良くする観点から、クラブ重量Ｗｔは、２７０（ｇ）以上が好ましく、２７２（ｇ）以上がより好ましく、２７５（ｇ）以上がより好ましい。スイングスピードを高めて飛距離を増やす観点から、クラブ重量Ｗｔは、３００（ｇ）以下が好ましく、２９８（ｇ）以下がより好ましく、２９５（ｇ）以下がより好ましい。
【００６６】
ヘッド体積は限定されない。ヘッドの慣性モーメントの観点から、ヘッド体積は、３８０ｃｃ以上が好ましく、３９０ｃｃ以上がより好ましく、４００ｃｃ以上がより好ましい。ゴルフルールの観点から、ヘッド体積は、４６０ｃｃ以下が好ましい。
【００６７】
ウエイト部材の材質は限定されない。カウンターバランス効果の観点から、ウエイト部材の比重は、グリップの比重よりも大きくされるのが好ましい。この観点から、ウエイト部材の比重は、８以上が好ましく、１５以上がより好ましい。材料入手の困難性の観点から、ウエイト部材の比重は、２０以下が好ましい。比重の観点から好ましい材質として、真鍮、タングステンニッケル合金、アルミニウム合金、タングステン合金、ステンレス合金、ステンレス鋼等が挙げられる。また錆が発生しにくく、成形が容易な材質が好ましい。この観点から、好ましいウェイト部材の材質として、真鍮、タングステン合金、タングステンニッケル合金、アルミニウム合金及びステンレス鋼が挙げられる。
【００６８】
弾性体である限り、グリップの材質は限定されない。グリップの材質として、ゴム組成物又は樹脂組成物が例示される。このゴム組成物におけるゴムとしては、例えば、天然ゴム（ＮＲ）、エチレンプロピレンジエンゴム（ＥＰＤＭ）、スチレンブタジエンゴム（ＳＢＲ）、イソプレンゴム（ＩＲ）、ブタジエンゴム（ＢＲ）、クロロプレンゴム（ＣＲ）、アクリロニトリルブタジエンゴム（ＮＢＲ）などが用いられうるが、特に天然ゴム、又は天然ゴムに親和性の良いエチレンプロピレンジエンゴムもしくはスチレンブタジエンゴムなどをブレンド（混合）したものが好ましい。ゴム組成物は、架橋剤により架橋されて用いられる。上記樹脂組成物に含まれる樹脂として、熱可塑性樹脂が挙げられる。この熱可塑性樹脂は、射出成形に用いられうる。この熱可塑性樹脂として、熱可塑性エラストマーが好ましく、ソフトセグメントとハードセグメントとを含む熱可塑性エラストマーがより好ましい。グリップ性と耐摩耗性との両立の観点から、ウレタン系熱可塑性エラストマー等のウレタン系樹脂がより好ましい。
【００６９】
グリップは、繊維により補強されていてもよい。繊維により補強されているグリップとして、いわゆるコード入りグリップが挙げられる。ウエイト部材に対する締め付け効果を高める観点から、グリップの材質は、繊維補強された加硫ゴム及び繊維補強されたウレタン系樹脂が好ましい。
【００７０】
グリップの成形方法は限定されず、インジェクション成形やコンプレッション成形が例示される。上記の締め付け効果を高める観点から、グリップのＪＩＳ−Ａ硬度は、４０以上が好ましく、４５以上がより好ましい。ウエイト部材による弾性変形が容易とされる観点から、グリップのＪＩＳ−Ａ硬度は、６０以下が好ましく、５５以下がより好ましい。このＪＩＳ−Ａ硬度は、ＪＩＳ−Ｋ−６２５３の規定に従い測定される。
【００７１】
ヘッドの材質は、限定されない。ヘッドの材質として、チタン、チタン合金、ＣＦＲＰ（炭素繊維強化プラスチック）、ステンレス鋼、マルエージング鋼、マグネシウム合金、アルミニウム合金、鉄等が例示される。複数の材質を組み合わせたヘッドでもよい。鋳造により作製されたヘッド本体と、鍛造又はプレスにより作製されたフェース部とが接合されたヘッドであってもよい。
【００７２】
ヘッドの構造は、限定されない。ヘッドは、全体として一体成形されていてもよいし、複数の部材を接合してなるものであってもよい。ヘッドの製造方法は限定されない。ヘットの製造方法として、ロストワックス精密鋳造等の鋳造、鍛造等が例示される。
【００７３】
シャフトの材質は、限定されない。シャフトの材質として、ＣＦＲＰ（炭素繊維強化プラスチック）や金属が例示される。いわゆるカーボンシャフトやスチールシャフトが好適に用いられうる。
【実施例】
【００７４】
以下、実施例によって本発明の効果が明らかにされるが、この実施例の記載に基づいて本発明が限定的に解釈されるべきではない。
【００７５】
［実施例１］
２００ｇの金属製ヘッドと、４０ｇのＣＦＲＰ製シャフトと、１５ｇのウェイト部材と、４０ｇのグリップとを用意した。シャフトの長さは１１６２ｍｍとされた。ウェイト部材の材質は、タングステン合金とされた。ウェイト部材の挿入部とシャフト内周面とは接着剤により接着された。グリップの材質は、繊維補強された加硫ゴムとされた。これらを組み合わせて、図２に示すゴルフクラブ２と同様のゴルフクラブを得た。この実施例１のゴルフクラブでは、ウェイト部材が、上記範囲Ｘ１に存在していない。グリップとシャフトとの接着には、両面テープＢ１を用いた。この接着では、この両面テープＢ１が貼り付けられたシャフトを、グリップ内に挿入した。この挿入は、両面テープＢ１の粘着面及びグリップ内面を溶剤で濡らした状態で行われた。この両面テープＢ１は、シャフトの表面に螺旋状に巻き付けられた。両面テープＢ１は、ウェイト部材の位置よりもヘッド側の範囲のみに設けられた。両面テープＢ１の設置範囲には、ウェイト部材の存在範囲が含まれていなかった。外方延在部の外径Ａ、シャフト後端面の外径Ｂ及び後端位置でのグリップ内径Ｃが下記の表１で示される。
【００７６】
［実施例２］
外径Ａ、外径Ｂ及び内径Ｃが表１に示される値とされた他は実施例１と同様にして、ゴルフクラブを得た。この実施例２のゴルフクラブは、図６のゴルフクラブ３２と同様の形態である。
【００７７】
［実施例３］
外径Ａ、外径Ｂ及び内径Ｃが表１に示される値ととされた。また、ウェイト部材の貫通孔の孔径が実施例１よりも小さくされた。その他は実施例１と同様にして、ゴルフクラブを得た。この実施例３のゴルフクラブは、図８のゴルフクラブ４８と同様の形態である。この実施例３では、ウェイト部材が、上記範囲Ｘ１に存在している。
【００７８】
［実施例４］
外径Ａ、外径Ｂ及び内径Ｃが表１に示される値とされた。また、上記両面テープＢ１に加えて、両面テープＢ２が用いられた。この両面テープＢ２は、帯状であり、図７の両面テープ４４と同様に配置された。両面テープＢ２の長手方向の全長は４００ｍｍとされた。この両面テープＢ２が、ウエイト部材の上面で折り返されつつ、シャフト長手方向に沿って配置された。この両面テープＢ２は、その両端の軸方向位置が略一致するように配置された。その他は実施例１と同様にして、ゴルフクラブを得た。この実施例４のゴルフクラブの形態は、図７のゴルフクラブ４２と同様である。
【００７９】
［比較例１］
外径Ａ、外径Ｂ及び内径Ｃが表１に示される値とされた他は実施例１と同様にして、ゴルフクラブを得た。この比較例１のゴルフクラブの断面図は、見かけ上は、図２のゴルフクラブ２と同様である。ただし、この比較例１では、外方延在部が、上記グリップを、半径方向外側に拡張するように弾性変形させていない。この比較例１では、前述した締め付け力が作用していない。
【００８０】
実施例及び比較例の仕様と評価結果とが、下記の表１で示される。評価方法は次の通りである。
【００８１】
［振動及び音の評価］
各クラブを、スイングロボットにより打球させた。ヘッドスピードは５０ｍ／ｓとされ、１０００回の打撃がなされた。このスイングロボットによる打撃がなされたクラブを用いて、人間のテスターが打球して評価した。テスターは１０名であり、テスターのヘッドスピードは３５〜４２ｍ／ｓであった。評価は、実施例４を基準としてなされた。表１で示されているのは、下記の（１）及び／又は（２）の評価をしたテスターの人数である。
（１）実施例４と比較して、打球時の振動が感じられた。
（２）実施例４と比較して、ウェイト部材に起因する音が大きかった。
【００８２】
【表１】
2010017200.tif 000003
【００８３】
［取り外し作業性の評価］
実施例１から４について、取り外し作業性が評価された。各例のクラブを１０本ずつ作製し、これら１０本のクラブの全てについて、シャフト及びウェイト部材を取り出す作業を行った。１０本の作業時間の合計を比較したところ、作業時間が最も短かったのは実施例４であり、以下、作業時間の短い順に、実施例３、実施例１、実施例２であった。即ち、作業性が最も良好であったのは実施例４であり、次に作用性が良かったのは実施例３であり、次に作用性が良かったのは実施例１であり、最も作業性が悪かったのが実施例２であった。
【００８４】
表１に示されるように、実施例は、比較例に比べて評価が高い。この評価結果から、本発明の優位性は明らかである。
【産業上の利用可能性】
【００８５】
本発明は、あらゆるゴルフクラブに適用されうる。
【図面の簡単な説明】
【００８６】
【図１】図１は、本発明の一実施形態に係るゴルフクラブの全体図である。
【図２】図２は、図１のゴルフクラブの、グリップエンド近傍における断面図である。
【図３】図３は、ウエイト部材の平面図である。
【図４】図４は、ウエイト部材の側面図である。
【図５】図５は、グリップの断面図である。
【図６】図６は、第二実施形態のゴルフクラブの、グリップエンド近傍における断面図である。
【図７】図７は、第三実施形態のゴルフクラブの、グリップエンド近傍における断面図である。
【図８】図８は、第四実施形態のゴルフクラブの、グリップエンド近傍における断面図である。
【符号の説明】
【００８７】
２、３２、４２、４８・・・ゴルフクラブ
４・・・ヘッド
６・・・シャフト
８・・・グリップ
１０・・・フェラル
１２・・・管状部
１４・・・エンド部
１６・・・シャフトの後端面
２０、３４、５０・・・ウエイト部材
２２、３８、５４・・・挿入部
２４、３６、５２・・・外方延在部
４４・・・両面テープ
Ｎ１・・・シャフトの後端面の内縁
Ｇ１・・・シャフトの後端面の外縁
Ａ・・・外方延在部の外径
Ｂ・・・シャフトの後端面の外径
Ｃ・・・後端におけるグリップ内径
ｖ１・・・接着剤  
【図１】
2010017200.tif 000004
【図２】
2010017200.tif 000005
【図３】
2010017200.tif 000006
【図４】
2010017200.tif 000007
【図５】
2010017200.tif 000008
【図６】
2010017200.tif 000009
【図７】
2010017200.tif 000010
【図８】
2010017200.tif 000011